(57)【要約】【課題】電気機器収納用キャビネットの外側と内側の両方から、収納物の取り出しを可能とすること。【解決手段】電気機器収納用キャビネット本体の側面に取り付ける補助収納筐体であって、開くように移動させることにより、電気機器収納用キャビネット本体の外側から補助収納筐体内へのアクセスを可能とする外側開閉部１１と、開くように移動させることにより、電気機器収納用キャビネット本体の内側から補助収納筐体内へのアクセスを可能とする内側開閉部１２と、を備えた構成とする。【選択図】図８
2020191374.tif 000002
【特許請求の範囲】
【請求項１】
電気機器収納用キャビネット本体の側面に取り付ける補助収納筐体であって、開くように移動させることにより、電気機器収納用キャビネット本体の外側から補助収納筐体内へのアクセスを可能とする外側開閉部と、開くように移動させることにより、電気機器収納用キャビネット本体の内側から補助収納筐体内へのアクセスを可能とする内側開閉部と、を備えた補助収納筐体。
【請求項２】
電気機器収納用キャビネット本体の外側から補助収納筐体内へのアクセスを可能とするように外側開閉部を移動させた場合に、内側開閉部が電気機器収納用キャビネット本体の内側から補助収納筐体内へのアクセスが可能となるように移動することを抑制できる請求項１に記載の補助収納筐体。
【請求項３】
外側開閉部に備えた第一の底部と、内側開閉部に備えた第二の底部が底面を構成する請求項１又は２に記載の補助収納筐体。
【請求項４】
外側開閉部と内側開閉部を一体に設けた請求項１又は２に記載の補助収納筐体。
【請求項５】
請求項１から４の何れかに記載の補助収納筐体を備えた電気機器収納用キャビネット。
【請求項６】
電気機器収納用キャビネット本体に設けられた開口を電気機器収納用キャビネット本体の外側から覆うように請求項１から４の何れかに記載の補助収納筐体が配置され、内側開閉部を開くように移動させる際に、少なくとも内側開閉部の一部が電気機器収納用キャビネット本体の外側から内側に移動し、電気機器収納用キャビネット本体の内側から補助収納筐体内へのアクセスが可能となる電気機器収納用キャビネット。
【請求項７】
電気機器収納用キャビネット本体に設けられた開口を電気機器収納用キャビネット本体の内側から覆うように請求項１から４の何れかに記載の補助収納筐体が配置され、外側開閉部を開くように移動させる際に、少なくとも外側開閉部の一部が電気機器収納用キャビネット本体の内側から外側に移動し、電気機器収納用キャビネット本体の外側から補助収納筐体内へのアクセスが可能となる電気機器収納用キャビネット。
【発明の詳細な説明】
【技術分野】
【０００１】
本発明は、電気機器収納用キャビネットの補助収納筐体及び電気機器収納用キャビネットに関するものである。
【背景技術】
【０００２】
特許文献１に記載されているように、配電盤や制御盤等には、回路図や取扱説明書等を収納するために、キャビネットの扉の内面に図面ホルダを備えている。
【先行技術文献】
【特許文献】
【０００３】
【特許文献１】特開平０９−３２２３２５号公報
【０００４】
ところで、電気設備である配電盤などは、施錠し管理されているため、管理者でなくては扉を開いて図面等を確認することができないことが多い。配電盤等の扉の表面に配置されている操作機器等は、配電盤の外側から操作することになるが、その取扱説明書等も配電盤の内側の図面ホルダに保管されていると、管理者がいないと確認できず、不便なこととなる。これに対する対応として、図面ホルダを配電盤の扉の外側に取り付けることが考えられるが、その場合、扉を開いて盤内で作業を行っている場合には、扉の正面側に回り込んで図面を確認しなくてはならないということになる。
【発明の概要】
【発明が解決しようとする課題】
【０００５】
本件の発明者は、この点について鋭意検討することにより、解決を試みた。本発明が解決しようとする課題は、電気機器収納用キャビネットの外側と内側の両方から、収納物の取り出しを可能とすることである。
【課題を解決するための手段】
【０００６】
上記課題を解決するため、電気機器収納用キャビネット本体の側面に取り付ける補助収納筐体であって、開くように移動させることにより、電気機器収納用キャビネット本体の外側から補助収納筐体内へのアクセスを可能とする外側開閉部と、開くように移動させることにより、電気機器収納用キャビネット本体の内側から補助収納筐体内へのアクセスを可能とする内側開閉部と、を備えた補助収納筐体とする。
【０００７】
また、電気機器収納用キャビネット本体の外側から補助収納筐体内へのアクセスを可能とするように外側開閉部を移動させた場合に、内側開閉部が電気機器収納用キャビネット本体の内側から補助収納筐体内へのアクセスが可能となるように移動することを抑制できる構成とすることが好ましい。
【０００８】
また、外側開閉部に備えた第一の底部と、内側開閉部に備えた第二の底部が底面を構成することが好ましい。
【０００９】
また、外側開閉部と内側開閉部を一体に設けた構成とすることが好ましい。
【００１０】
また、上記補助収納筐体を備えた電気機器収納用キャビネットとすることが好ましい。
【００１１】
また、電気機器収納用キャビネット本体に設けられた開口を電気機器収納用キャビネット本体の外側から覆うように上記補助収納筐体が配置され、内側開閉部を開くように移動させる際に、少なくとも内側開閉部の一部が電気機器収納用キャビネット本体の外側から内側に移動し、電気機器収納用キャビネット本体の内側から補助収納筐体内へのアクセスが可能となる電気機器収納用キャビネットとすることが好ましい。
【００１２】
また、電気機器収納用キャビネット本体に設けられた開口を電気機器収納用キャビネット本体の内側から覆うように上記補助収納筐体が配置され、外側開閉部を開くように移動させる際に、少なくとも外側開閉部の一部が電気機器収納用キャビネット本体の内側から外側に移動し、電気機器収納用キャビネット本体の外側から補助収納筐体内へのアクセスが可能となる電気機器収納用キャビネットとすることが好ましい。
【発明の効果】
【００１３】
本発明では、電気機器収納用キャビネットの外側と内側の両方から、収納物の取り出しが可能となる。
【図面の簡単な説明】
【００１４】
【図１】第一の実施形態における電気機器収納用キャビネットの斜視図である。ただし、補助収納筐体を電気機器収納用キャビネット本体の外側に配置している。
【図２】図１に示す電気機器収納用キャビネットの外側開閉部を開いた状態を示した図である。
【図３】図１に示す電気機器収納用キャビネットのキャビネット筐体と扉体を分解した分解斜視図である。なお、補助収納筐体の内側開閉部が開いた状態を示している。
【図４】第一の実施形態における電気機器収納用キャビネットの斜視図である。ただし、補助収納筐体を電気機器収納用キャビネット本体の内側に配置している。
【図５】図４に示す電気機器収納用キャビネットの外側開閉部を開いた状態を示した図である。
【図６】図４に示す電気機器収納用キャビネットのキャビネット筐体と扉体を分解した分解斜視図である。なお、補助収納筐体の内側開閉部が開いた状態を示している。
【図７】図１及び図４に示す電気機器収納用キャビネットに用いられる補助収納筐体の斜視図である。
【図８】図７に示す補助収納筐体の分解斜視図である。
【図９】図７に示す補助収納筐体に用いられる外側開閉部の斜視図である。
【図１０】図７に示す補助収納筐体に用いられる内側開閉部の斜視図である。
【図１１】図７のXI-XI断面図である。
【図１２】図７に示す補助収納筐体を構成する内側開閉部と外側開閉部が組み合わされた状態を示す図である。
【図１３】図１２に示す外側開閉部が回動して第一の開閉規制部が当接部に当接した状態を表す図である。
【図１４】図７に示す補助収納筐体の縦断面図である。なお、外側開閉部が開いた状態を表している。
【図１５】図７に示す補助収納筐体の縦断面図である。なお、内側開閉部が回動して第二の開閉規制部が筐体本体に当接した状態を表している。
【図１６】第二の実施形態における補助収納筐体を外側開閉部側から見た斜視図である。
【図１７】図１６に示す補助収納筐体を反対側から見た斜視図である。
【図１８】図１６に示す補助収納筐体の分解斜視図である。
【図１９】図１６に示す補助収納筐体の縦断面図である。なお、外側開閉部が開いた状態を表している。
【図２０】図１６に示す補助収納筐体の縦断面図である。なお、内側開閉部が開いた状態を表している。
【図２１】第三の実施形態における補助収納筐体を外側開閉部側から見た斜視図である。なお、補助収納筐体の外側開閉部が開いた状態を示している。
【図２２】図２１に示す補助収納筐体を内側開閉部側から見た斜視図である。
【図２３】図２１に示す補助収納筐体の分解斜視図である。
【図２４】図２１に示す補助収納筐体の縦断面図である。なお、外側開閉部が開いた状態を表している。
【図２５】図２１に示す補助収納筐体の縦断面図である。なお、内側開閉部が開いた状態を表している。
【発明を実施するための形態】
【００１５】
以下に発明を実施するための形態を示す。図１から図６に示されていることから理解されるように、本実施形態の電気機器収納用キャビネット９の補助収納筐体１は、開くように移動させることにより、電気機器収納用キャビネット本体９１の外側から補助収納筐体１内へのアクセスを可能とする外側開閉部１１を備えている。また、この補助収納筐体１は、開くように移動させることにより、電気機器収納用キャビネット本体９１の内側から補助収納筐体１内へのアクセスを可能とする内側開閉部１２を備えている。このため、電気機器収納用キャビネット９の外側と内側の両方から、収納物の取り出しが可能となる。
【００１６】
補助収納筐体１は、電気機器収納用キャビネット本体９１に取り付けられて、電気機器収納用キャビネット９を構成するものであるが、図１から図６に示す電気機器収納用キャビネット本体９１は、キャビネット筐体９２と扉体９３により、略直方体形状の外形を形成している。この電気機器収納用キャビネット本体９１に対して設けられた開口９４は、扉体９３を閉めていても、収納物を電気機器収納用キャビネット本体９１の内側から外側に、若しくは外側から内側に移動させることができる経路であり、収納物が通過できる大きさに設けられている。
【００１７】
図１から図６に示す例の補助収納筐体１は、電気機器収納用キャビネット本体９１に対して設けられた開口９４を塞ぐように配置されている。図１から図３に示すことから理解されるように、補助収納筐体１は、電気機器収納用キャビネット本体９１の外側に位置するように配置するものとしても良いし、図４から図６に示すことから理解されるように、補助収納筐体１は、電気機器収納用キャビネット本体９１の内側に位置するように配置するものとしても良い。なお、開口９４に嵌めるように配置するなどして、補助収納筐体１が電気機器収納用キャビネット本体９１の内側及び外側の双方に位置するようにしても良い。
【００１８】
電気機器収納用キャビネット本体９１に設けられた開口９４を電気機器収納用キャビネット本体９１の外側から覆うように補助収納筐体１が配置され、内側開閉部１２を開くように移動させる際に、少なくとも内側開閉部１２の一部が電気機器収納用キャビネット本体９１の外側から内側に移動し、電気機器収納用キャビネット本体９１の内側から補助収納筐体１内へのアクセスが可能となる電気機器収納用キャビネット９とすれば、閉じた状態では電気機器収納用キャビネット本体９１の内部空間を補助収納筐体１が圧迫することを抑制することができる。
【００１９】
電気機器収納用キャビネット本体９１に設けられた開口９４を電気機器収納用キャビネット本体９１の内側から覆うように補助収納筐体１が配置され、外側開閉部１１を開くように移動させる際に、少なくとも外側開閉部１１の一部が電気機器収納用キャビネット本体９１の内側から外側に移動し、電気機器収納用キャビネット本体９１の外側から補助収納筐体１内へのアクセスが可能となる電気機器収納用キャビネット９とすれば、電気機器収納用キャビネット９の外見をスッキリとさせることができる。
【００２０】
図１から図６に示す補助収納筐体１は、電気機器収納用キャビネット本体９１の側面に取り付けるものであるが、図７及び図８に示すことから理解されるように、この補助収納筐体１は、外側開閉部１１、内側開閉部１２、筐体本体１３を組み合わせて構成している。この補助収納筐体１は、電気機器収納用キャビネット本体９１の内側と外側のいずれに配置するようにも取り付け可能であるが、図１から図３に示すように、電気機器収納用キャビネット本体９１の外側に飛び出すように取り付けるときは、扉体９３などの内側から筐体本体１３の内側取付部５１にねじ止めをすれば良い。また、図４から図６に示すように、電気機器収納用キャビネット本体９１の内側に飛び出すように取り付けるときは、扉体９３などの外側から筐体本体１３の外側取付部５２にねじ止めをすれば良い。
【００２１】
ところで、図９に示すことから理解されるように、図１から図６に示す例の外側開閉部１１は、補助収納筐体１の外側側面を構成する面から立ち上がるように折り曲げることで形成した左右側面の上部に、外側開閉部１１の移動を規制可能な第一の開閉規制部３１を設けている。また、外側開閉部１１の下部には、補助収納筐体１の底面の構成要素となる第一の底部３２を備えている。また、外側開閉部１１の外側側面には、作業者が持つことができる取手３３を備えており、この取手３３を持ちながら開閉操作ができる。
【００２２】
また、図１０に示すことから理解されるように、図１から図６に示す例の内側開閉部１２は、補助収納筐体１の内側側面を構成する面から立ち上がるように折り曲げることで形成した左右側面の上部に、内側開閉部１２の移動を規制可能な第二の開閉規制部４１を設けている。また、この内側開閉部１２の左右側面の外側端部には、第一の開閉規制部３１に当接可能な当接部４２を設けている。また、内側開閉部１２の下部には、補助収納筐体１の底面の構成要素となる第二の底部４３を備えている。
【００２３】
図１から図６に示す例の筐体本体１３は、底の面を有しないようなコ字状に形成している。この筐体本体１３の左右側面の下端には、外側開閉部１１を軸支する外側開閉軸６１と内側開閉部１２を軸支する内側開閉軸６２が設けられている。また、図１から図６に示す例では、筐体本体１３の内側の上部に切欠き５３を備えている。この切欠き５３から内側開閉部１２に手をかけて操作ができるため、電気機器収納用キャビネット本体９１の内側に余分に突出する部分を作らずとも、内側開閉部１２の操作が可能となる。
【００２４】
図１から図６に示す例においては、外側開閉部１１に設けられた第一の底部３２と内側開閉部１２に設けられた第二の底部４３の両方で補助収納筐体１の底面を構成している。図１１に示すことから理解されるように、図１から図６に示す例では、内側開閉部１２と外側開閉部１１の双方が閉じた状態において、平面視で第一の底部３２と第二の底部４３が重ならない構成となっている。図１１に示す例では、第一の底部３２の一部及び第二の底部４３の一部の双方ともが、筐体本体１３の厚み方向の長さＬＷの半分よりも長くなるように構成されており、内側開閉部１２と外側開閉部１１のいずれか一方を回動させた場合、当該回動をさせた側とともに、補助収納筐体１に収めたファイルなどが移動しやすいものとなっている。また、これらの例では、外側開閉部１１を開く方向へ回動させると第一の底部３２が傾斜することになり、収納物を外側へ傾かせることができる。このため、収納物を取り出し易くすることができる。
【００２５】
図１から図６に示す例では、図１２から図１４に示すことから理解されるように、補助収納筐体１が開くように外側開閉部１１を回動操作すると、第一の開閉規制部３１が内側開閉部１２に設けられた当接部４２にあたり、所定以上の回動を抑制することができる。
【００２６】
また、実施形態では、第一の開閉規制部３１と当接部４２が干渉することにより、外側開閉部１１が開いた状態では、内側開閉部１２が開く方向に回動することを抑制できるため、補助収納筐体１を介して電気機器収納用キャビネット本体９１の内部に侵入することを防ぐことができる。このように、電気機器収納用キャビネット本体９１の外側から補助収納筐体１内へのアクセスを可能とするように外側開閉部１１を移動させた場合に、内側開閉部１２が電気機器収納用キャビネット本体９１の内側から補助収納筐体１内へのアクセスが可能となるように移動することを抑制できる構造とすることが好ましい。なお、この例において、電気機器収納用キャビネット本体９１の外側から図面などのファイルを取り出すことができることは勿論のことである。
【００２７】
ところで、図１から図６に示す例では、図１５に示すことから理解されるように、内側開閉部１２を開く側に所定の位置まで回動操作すると、第二の開閉規制部４１が筐体本体１３の端部にあたり、内側開閉部１２の回動を止めることができる。また、内側開閉部１２を開く方向へ回動させると第二の底部４３が傾斜することになり、収納物を内側へ傾かせることができる。このため、収納物を取り出し易くすることができる。これらは、外側開閉部１１を開いたときにもたらされる効果と同様である。なお、電気機器収納用キャビネット本体９１の内側から図面などのファイルを取り出せることは勿論である。
【００２８】
ここで、図１から図１５に示す例とは異なる例の補助収納筐体１について説明する。図１６から図１８に示す例では、補助収納筐体１は、外側開閉部１１、内側開閉部１２、筐体本体１３、を組み合わせて構成している。電気機器収納用キャビネット本体９１に取り付けるときは、扉体９３の外側から筐体本体１３の取付部５４にねじ止めを行っている。このように、図１６から図１８に示す例では、電気機器収納用キャビネット本体９１の内側に補助収納筐体１を配置する構成としている。
【００２９】
図１８に示すことから理解されるように、この例の外側開閉部１１は、補助収納筐体１の外側側面を構成する面と対向する面が上方に伸びた箱形の形状となっている。この外側側面を構成する面と対向する面の上端には、外側開閉部１１の回動範囲を規制するために用いられる開閉規制部３５を備えている。また、外側側面を構成する面には、開閉操作をする際に用いられる取手３３を備えている。
【００３０】
図１６から図１８に示すことから理解されるように、内側開閉部１２は、補助収納筐体１の天井面を構成する蓋形状となっている。この内側開閉部１２の外側端部には、外側開閉部１１に備えた開閉規制部３５に当接可能な当接部４５を備えている。
【００３１】
図１８に示すことから理解されるように、この例の筐体本体１３は、底面と天井面を有しないコ字状に形成されている。筐体本体１３の左右側面の下端には、外側開閉部１１を軸支する外側開閉軸６３、上端には、内側開閉部１２を軸支する内側開閉軸６４を備えている。図１９に示すことから理解されるように、外側開閉部１１を開くように回動操作することで、開閉規制部３５が内側開閉部１２の当接部４５にあたると、外側開閉部１１の回動がとまる。
【００３２】
この例では、外側開閉部１１を開いた状態とすることで、外側開閉部１１に設けた開閉規制部３５と内側開閉部１２に設けた当接部４５が干渉することにより、内側開閉部１２が開く方向に回動することが抑制されるため、補助収納筐体１を介して電気機器収納用キャビネット本体９１の内部に侵入することを防ぐことができる。なお、電気機器収納用キャビネット本体９１の外側から図面などのファイルを取り出せることは勿論であるし、図２０に示すように、内側開閉部１２を回動操作することにより、電気機器収納用キャビネット本体９１の内側から図面などのファイルを取り出せることも勿論である。このような構成とすれば、補助収納筐体１の底面を分割して各々が単独で移動する構成にする必要がなく、小さな収納物が隙間から落下することを防ぐことができる。
【００３３】
また、他の例の補助収納筐体１について説明する。図２１から図２３に示す例では、補助収納筐体１は、外側開閉部１１、内側開閉部１２、筐体本体１３、を組み合わせて構成している。この補助収納筐体１の電気機器収納用キャビネット本体９１への取り付け方法は、図１〜図６などに示す例と同じようにすれば良い。この例では、補助収納筐体１の外側側面を構成する外側開閉部１１と補助収納筐体１の内側側面を構成する内側開閉部１２が対向するように一体となっており、外側開閉部１１と内側開閉部１２を備えた部品８１が箱形の形状となるようにしている。なお、外側開閉部１１と内側開閉部１２を備えた部品８１の左右側面の上端には、この部品８１の回動範囲を規制するために用いられる開閉規制部８３を備えている。
【００３４】
この例の筐体本体１３は、底面を有しないコ字状に形成されている。この筐体本体１３の左右側面の下端に設けられた開閉軸６５により、一体形成された外側開閉部１１と内側開閉部１２が軸支される。
【００３５】
図２１及び図２２に示すことから理解されるように、筐体本体１３の外側面と内側面にはストッパーが備えられている。外側開閉部１１を開くときは、外側面に設けられたストッパー８４が外側開閉部１１に引っ掛かった状態を解除して、回動させればよい。外側開閉部１１が開くように回動操作をして、図２４に示すように、開閉規制部８３が筐体本体１３の端部にあたると、回動がとまる。なお、内側面に設けられたストッパー８５が、外側開閉部１１と内側開閉部１２を備えた部品８１の経路に位置する状態にすれば、内側開閉部１２が電気機器収納用キャビネット本体９１の内側方向へ回動することを規制することができる。
【００３６】
内側開閉部１２を開くときは、内側面に設けられたストッパー８５が内側開閉部１２に引っ掛かった状態を解除して、回動させればよい。内側開閉部１２が開くように回動操作をして、図２５に示すように、開閉規制部８３が筐体本体１３の端部にあたると、回動がとまる。なお、外側面に設けられたストッパー８４が、外側開閉部１１と内側開閉部１２を備えた部品８１の経路に位置する状態にすれば、外側開閉部１１が電気機器収納用キャビネット本体９１の外側方向へ回動することを規制することができる。
【００３７】
このような構成であるため、電気機器収納用キャビネット本体９１の外側又は内側から図面などのファイルを取り出すことができる。また、外側開閉部１１と内側開閉部１２を一体に設けることにより、これらが一緒に回動するため、補助収納筐体１を介して電気機器収納用キャビネット９の内部に侵入することを防ぐことができる。
【００３８】
以上、実施形態を例に挙げて本発明について説明してきたが、本発明は上記実施形態に限定されることはなく、各種の態様とすることが可能である。例えば、補助収納筐体に鍵を取り付けることも可能である。
【符号の説明】
【００３９】
１  補助収納筐体
９  電気機器収納用キャビネット
１１  外側開閉部
１２  内側開閉部
３２  第一の底部
４３  第二の底部
９１  電気機器収納用キャビネット本体
【図１】
2020191374.tif 000003
【図２】
2020191374.tif 000004
【図３】
2020191374.tif 000005
【図４】
2020191374.tif 000006
【図５】
2020191374.tif 000007
【図６】
2020191374.tif 000008
【図７】
2020191374.tif 000009
【図８】
2020191374.tif 000010
【図９】
2020191374.tif 000011
【図１０】
2020191374.tif 000012
【図１１】
2020191374.tif 000013
【図１２】
2020191374.tif 000014
【図１３】
2020191374.tif 000015
【図１４】
2020191374.tif 000016
【図１５】
2020191374.tif 000017
【図１６】
2020191374.tif 000018
【図１７】
2020191374.tif 000019
【図１８】
2020191374.tif 000020
【図１９】
2020191374.tif 000021
【図２０】
2020191374.tif 000022
【図２１】
2020191374.tif 000023
【図２２】
2020191374.tif 000024
【図２３】
2020191374.tif 000025
【図２４】
2020191374.tif 000026
【図２５】
2020191374.tif 000027